(57)【特許請求の範囲】
【請求項１】
火力発電所取水路から回収された貝類に、火力発電所設備の空気予熱器又は電気集塵器の洗浄排水である酸性洗浄排水を散水して、貝殻と貝肉等の有機物とに洗浄分離することを特徴とする火力発電所取水路から回収された貝類の処理方法。
【請求項２】
火力発電所取水路から回収された貝類を上下多段配置の振動スクリーンに載置し、その上から火力発電所設備の空気予熱器又は電気集塵器の洗浄排水である酸性洗浄排水を散水して、貝殻と貝肉等の有機物とに洗浄分離することを特徴とする火力発電所取水路から回収された貝類の処理方法。
【請求項３】
火力発電所取水路から回収された貝類を載置するための上下多段配置の振動スクリーンとその上から火力発電所設備の空気予熱器又は電気集塵器の洗浄排水である酸性洗浄排水を散水するシャワリング装置とからなる、酸性洗浄排水の散水により貝類を貝殻と貝肉等の有機物とに洗浄分離するための貝類洗浄分離装置を備えてなることを特徴とする火力発電所取水路から回収された貝類の処理装置。
【請求項４】
酸性洗浄排水の散水により貝類を貝殻と貝肉等の有機物とに洗浄分離するための貝類洗浄分離装置が、上下多段配置の振動スクリーンとスプレーノズルを備えたシャワーリング装置とからなるものであることを特徴とする請求項３記載の火力発電所取水路から回収された貝類の処理装置。
【請求項５】
上下多段配置の振動スクリーンが、水平方向への振動と上下方向への振動ができるものであることを特徴とする請求項３又は４に記載の火力発電所取水路から回収された貝類の処理装置。
【請求項６】
シャワーリング装置が、散水方向を変更調整できるスプレーノズルを備えてなるものであることを特徴とする請求項３〜５のいずれか１項に記載の火力発電所取水路から回収された貝類の処理装置。
【請求項７】
貝類洗浄分離装置の前方に取水路から回収された貝類と泥水と海水とを含む混合液が供給される受水槽を設け、該受水槽にはその下方部に傾斜板を配設してなることを特徴とする請求項３〜６のいずれか１項に記載の火力発電所取水路から回収された貝類の処理装置。
【請求項８】
貝類洗浄分離装置の下部に洗浄排水受槽を配置し、かつ同受槽にはオーバーフロー管を取り付けてなることを特徴とする請求項３〜７のいずれか１項に記載の火力発電所取水路から回収された貝類の処理装置。
【発明の詳細な説明】
【０００１】
【発明の属する技術分野】
本発明は貝類の洗浄分離に関し、火力発電所において、海水の取水路より回収した貝類を酸性の機器洗浄排水で貝殻と貝肉等の有機物とに洗浄分離することにより貝殻の無臭化・低塩分化を図り、良好なセメント原料等を得るための貝類の処理方法に関する。
【０００２】
【従来の技術及び発明が解決しようとする課題】
従来、火力発電所においては、発電設備の復水器の冷却水として海水が取水路を経て導入使用されるが、その水路底側面にはムラサキイガイ及びフジツボ等の貝類が生育・付着し、水流抵抗を増大させ、あるいは一部剥離して流れ出た貝類が発電所の冷却管に閉塞するなどの問題を発生させるため、定期的に貝類を剥離除去しなければならない。この取水路に付着する貝類の年間除去量は、火力発電所で１回当たり数百トンにも及ぶもので、大量の貝類が除去される。その除去貝類はほとんどが埋め立て処分、又は焼却して有資源化する方法等が行われていたが、近年廃棄物処理法改正で埋め立て処分場の構造が強化されたことによる腐敗異臭対策が課題になつている。
【０００３】
一方、最近では前記貝類の建築・土木分野でのコンクリート材料（セメント原料・混和材・骨材）等への有効利用も考えられているが、コンクリートへの塩分混入によるコンクリート強度の低下や鉄筋の発錆が促進されるため、セメント・コンクリート原料とする貝類の低塩分化技術の開発が課題となっている。
【０００４】
【課題を解決するための手段】
本発明者らは、上記事情に鑑み、火力発電所取水路付着貝類の有効利用を促進し、貝殻の無臭化、低塩分化によるセメント原料等への提供を図るべく鋭意研究し、下記構成の本発明をなすに至った。
（１）火力発電所取水路から回収された貝類に、火力発電所設備の空気予熱器又は電気集塵器の洗浄排水である酸性洗浄排水を散水して、貝殻と貝肉等の有機物とに洗浄分離することを特徴とする火力発電所取水路から回収された貝類の処理方法。
（２）火力発電所取水路から回収された貝類を上下多段配置の振動スクリーンに載置し、その上から火力発電所設備の空気予熱器又は電気集塵器の洗浄排水である酸性洗浄排水を散水して、貝殻と貝肉等の有機物とに洗浄分離することを特徴とする火力発電所取水路から回収された貝類の処理方法。
（３）火力発電所取水路から回収された貝類を載置するための上下多段配置の振動スクリーンとその上から火力発電所設備の空気予熱器又は電気集塵器の洗浄排水である酸性洗浄排水を散水するシャワリング装置とからなる、酸性洗浄排水の散水により貝類を貝殻と貝肉等の有機物とに洗浄分離するための貝類洗浄分離装置を備えてなることを特徴とする火力発電所取水路から回収された貝類の処理装置。
（４）酸性洗浄排水の散水により貝類を貝殻と貝肉等の有機物とに洗浄分離するための貝類洗浄分離装置が、上下多段配置の振動スクリーンとスプレーノズルを備えたシャワーリング装置とからなるものであることを特徴とする前項３に記載の火力発電所取水路から回収された貝類の処理装置。
（５）上下多段配置の振動スクリーンが、水平方向への振動と上下方向への振動ができるものであることを特徴とする前項３又は４に記載の火力発電所取水路から回収された貝類の処理装置。
（６）シャワーリング装置が、散水方向を変更調整できるスプレーノズルを備えてなるものであることを特徴とする前項３〜５のいずれか１項に記載の火力発電所取水路から回収された貝類の処理装置。
（７）貝類洗浄分離装置の前方に取水路から回収された貝類と泥水と海水とを含む混合液が供給される受水槽を設け、該受水槽にはその下方部に傾斜板を配設してなることを特徴とする前項３〜６のいずれか１項に記載の火力発電所取水路から回収された貝類の処理装置。
（８）貝類洗浄分離装置の下部に洗浄排水受槽を配置し、かつ同受槽にはオーバーフロー管を取り付けてなることを特徴とする前項３〜７のいずれか１項に記載の火力発電所取水路から回収された貝類の処理装置。
【０００５】
上記本発明で使用される火力発電所から排出される酸性洗浄排水は、火力発電所設備の空気予熱器又は電気集塵器を水で洗浄して排出された洗浄排水であり、酸性（ｐＨ：２〜３）で金属成分として主にＦｅと炭素元素を含み、他に微量のＮａ、Ｍｇ、Ｃａ、Ａｌ、Ｓｉ、Ｖ、Ｎｉ等を含んでいる。
従来、該酸性洗浄排水は、中和処理され固液分離処理された後、排水処理装置を介して排出されていた。
また、本発明の洗浄分離装置は、貝類の処理量・処理速度に合わせて上下多段配置の振動スクリーンとシャワーリング装置（スプレー管に多数のスプレーノズルをその散水方向に合わせて調整可能に配設）とを適宜調整して使用できる。
また、本発明における受水槽の下方部に設ける傾斜板は好ましくは傾斜角１６°であるが、貝類と泥水と海水とを含む混合液の処理量に合わせた傾斜角を使用できる。また、本発明は火力発電所以外でも酸性洗浄排水が得られる事業所において利用できる。
【０００６】
【発明の実施の形態】
次に本発明の実施の形態を図面に基づいて説明する。
図１は本発明の貝類の洗浄分離処理方法を示すブロック図、図２は本発明の貝類処理装置の概念図を示す。
図３は貝類の洗浄分離装置の斜視説明図、図４は同洗浄分離装置のシャワーリング装置に配設されるスプレー管とスプレーノズルの説明断面図を示す。図５は受水槽の斜視説明図を示す。
本発明の概略工程は図１に示すごとく火力発電所から定期的に剥奪回収が行われる貝類１を受水槽２に供給する。該受水槽２より搬送ポンプ（例えばコンクリートポンプ）３で貝類洗浄分離装置４に搬送される。
次に、該貝類洗浄分離装置４に搬送された貝類は上下多段配置の振動スクリーン上５に供給され、その上部より本発明に係る酸性洗浄排水Ａを散水（シャワーリング）され貝殻と貝肉等の有機物（泥分、微細貝を含む）とに分離される。その後洗浄分離された貝殻は搬送コンベア（スクリュー式）６により搬送・脱水された後、袋詰され生石灰（ＣａＯ）、消石灰（Ｃａ（ＯＨ２））等の良好なセメント原料として利用される。
【０００７】
一方、分離された貝肉等及び有機物（泥分、微細貝含む）は洗浄排水受槽Ｄに貯蔵され、そこで浮遊する貝肉等はオーバーフロー管Ｅで一旦回収槽Ｆに集めた後、ポンプＨにより排水貯槽Ｂに返還され、該排水貯槽Ｂで処理（ＢＯＤ，ＣＯＤ低減化処理）される。また、酸性の酸性洗浄排水Ａは排水貯槽Ｂへ導入される。
【０００８】
前記の酸性洗浄排水Ａは、火力発電所の空気予熱器又は電気集塵器の定期点検時に機器を淡水で洗浄したさいに得られるものであり、酸性（ｐＨ：２〜３）で金属成分として主にＦｅと炭素元素を含み、他に微量のＮａ、Ｍｇ、Ｃａ、Ａｌ、Ｓｉ、Ｖ、Ｎｉ等を含んでいる。排水貯槽Ｂ中の該酸性洗浄排水Ａは洗浄分離装置４において貝類に散水され、貝肉等から生成するアンモニア等のアルカリ性悪臭物質を中和反応により無臭化及び貝殻表面に付着している塩分を除去する役割をはたす。
【０００９】
前記の洗浄分離装置４は、図３に示すごとく貝類を載置する上下多段配置の振動スクリーン５（５ａ，５ｂ）とシャワリング装置Ｃを組み合わせて構成されている。  また、前記の上下多段配置の振動スクリーン５（５ａ，５ｂ）は水平方向への振動と上下方向への振動（例えば全振幅：約１１ｍｍ）を可能とする。
該スクリーン５には、篩作用をもつ振動スクリーン板（ステンレス製パンチングメタル：３．１３φ）を採用することも好ましい。
該振動スクリーン５は貝類の処理に応じて段数、振幅、篩口径を選定して用いることができる。また、前記のシャワーリング装置Ｃについては、振動スクリーン板５の上方位置に、図４に示すごとく、散水方向及び散水量・圧力を適宜変更調整できるスプレー管７（（Ａ）〜（Ｃ）：７ａ，７ｂ，７ｃ）と多数のスプレーノズル８（８ａ，８ｂ，８ｃ）を備えている。
多数のスプレーノズル８ａ〜８ｃ・・のうちの幾つか又は全部の向きを、スプレー管７ａ〜７ｃ・・を少し回転することで、右下方又は左下方へ傾斜させ、ノズル８ａ〜８ｃ・・から斜め下方へ酸性排水Ａを噴出することによって洗浄と同時に貝殻を、例えば（Ｂ）のスプレー管７ｂを少し左へ回転してノズル８ｂを右下方へ向けることによって、右方に配設された搬送コンベア６方向への移動（移送）することができる。
なお、該スプレーノズル８ａ、８ｂ・・は貝類の処理量に合わせて配置し本数及び散水方向等を調整する。
【００１０】
搬送ポンプ３で送られた貝類を上下多段配置の振動スクリーン５に載置して、該貝類に振動及び篩作用を与えながら、その上からスプレー管７と多数のスプレーノズル８を備えたシャワーリング装置Ｃにより該酸性洗浄排水Ａを連続的に散水して貝殻に上下動、左右動の反転等を付与し踊るように運動を与えながら貝類を均一的に洗浄して、該貝殻と貝肉等の有機物とに分離するとともに貝殻を低塩分化する。
また、貝殻に付着する貝肉の脱離により、貝殻と貝肉等の有機物（泥分、微細貝等）とに洗浄分離する。
【００１１】
一方、図５に示すように、取水路から回収された貝類１と泥水と海水とを含む混合液が供給される。該受水槽２は飛散防止板９で覆われ、その下方部に貝類を自重移動する傾斜板１０（傾斜角：１０〜２０°、好ましくは約１６°：鋼板製）を配設される。なお、この傾斜板１０の角度及び材料は貝類の処理量及び搬送速度に合わせて変更する。
【００１２】
次に、図１に示すごとく貝類の洗浄分離装置４において洗浄分離された貝肉等の有機物（泥分、微細貝を含む）を含む洗浄後の排水は、該洗浄分離装置４の下部に配置された洗浄排水受槽Ｄに貯められた後、同受槽Ｄの上部に取り付けられたオーバーフロー管Ｅにより、その上澄み浮遊物である貝肉等はオーバーフロー管Ｅを通し回収槽Ｆに一時集め（集水槽の浸出水も回収）た後、ポンプＨにより排水貯槽Ｂに返還され酸性洗浄排水Ａとして再使用される。
【００１３】
また、排水貯槽Ｂでは、空気爆気による生物学的処理（ＣＯＤ、ＢＯＤの低減）がなされ、その下層液状物は凝集沈殿処理装置Ｉ（凝集槽と凝集沈殿槽と濃縮槽からなる）で汚泥が分離され、ついで脱水処理Ｊされ、そして固形物は袋詰めされ良好なセメント原料として使用される。また、この凝集沈殿処理装置Ｉで分離された排水は下水処理場に排出される。
【００１４】
本発明によれば、以上のように腐敗臭の強い貝類の洗浄分離に、空気予熱器又は電気集塵器等を淡水で洗浄することにより生成される酸性でＦｅ分・炭素（未燃料カーボン）分及び微量の他金属分等含む機器の酸性洗浄排水Ａの酸が貝類に含まれる貝肉等から生成するアンモニア等のアルカリ性悪臭物質を中和反応で抑制する。また、Ｆｅと炭素（未燃カーボン）分及び微量の他金属元素が該化学反応を促進する触媒又は活性物として作用し、さらに無臭化の効果を高める。
【００１５】
一方、洗浄分離装置４は、振動スクリーン５で貝類の篩及び上下動、左右動の反転運動とスプレーノズル８（シャワーリング装置Ｃ）での散水による貝類の貝殻と貝肉等の有機物との洗浄分離と貝殻の移送作用とを組み合わせたことによる貝殻の洗浄及び貝殻と貝肉等の有機物との分離化が良好に行なわれ、該貝殻の低塩化（脱塩）を促進する。この結果、得られた貝殻は良好なセメント原料への使用が可能となる。
【００１６】
【発明の効果】
以上説明したように本発明によれば、下記のような優れた効果が得られる。
（１）従来の火力発電所における、取水路から回収した大量の生貝の埋め立て処分、又は焼却して有資源化する処理をなくし、本発明による貝類の洗浄分離処理方法により貝類をセメント原料に有効利用できる結果、埋め立て用地の確保の問題をなくし、また、悪臭等の公害問題の発生も大幅に低減される。
（２）貝類の洗浄分離処理において、火力発電所設備の洗浄処理で排出された酸性の酸性洗浄排水を利用し、スプレーノズル（シャワーリング）と振動スクリーンとを配備した洗浄分離装置とを用いることにより、貝類から発生する悪臭を大幅に抑制できる。また、同時に貝殻の低塩分化ができ良好なセメント原料等が得られる。
（３）貝類の前処理工程である受水槽に傾斜板を設けたことにより、貝類の前処理を容易にし、かつその設備費及び管理費も大幅に低減できた。
【図面の簡単な説明】
【図１】図１は本発明の貝類の洗浄分離処理方法を示すブロック図である。
【図２】図２は本発明の貝類処理装置の概念図を示す。
【図３】図３は貝類の洗浄分離装置の斜視説明図を示す。
【図４】図３に示す洗浄分離装置のシャワーリング装置に配設されるスプレー管とスプレーノズルの説明断面図を示す。
【図５】受水槽の斜視説明図を示す。
【符号の説明】
Ａ  空気予熱器・電気集塵器の酸性洗浄排水
Ｂ  排水貯槽
Ｃ  シャワーリング装置
Ｄ  洗浄排水受槽
Ｅ  オーバーフロー管
Ｆ  回収槽
Ｇ  集水槽
Ｈ  ポンプ
Ｉ  凝集沈殿処理装置
Ｊ  脱水処理
１  取水路から回収された貝類
２  受水槽
３  搬送ポンプ（コンクリートポンプ）
４  洗浄分離装置
５  振動スクリーン
６  搬送コンベア
７（７ａ、７ｂ、７ｃ）  スプレー管
８（８ａ、８ｂ，８ｃ）  スプレーノズル
９  飛散防止板
１０  傾斜板
【図１】
0003598950.tif 000002
【図２】
0003598950.tif 000003
【図３】
0003598950.tif 000004
【図４】
0003598950.tif 000005
【図５】
0003598950.tif 000006